(57)【特許請求の範囲】
【請求項１】
ロールペーパーを繰出し・巻取り方向に回転可能な状態で水平に保持するホルダ本体と、
上記ホルダ本体に対して前後方向に揺動自在に接続され、先端部にロールペーパーをカットする刃部を有する上蓋と、
上記ホルダ本体に対して前後方向に揺動自在に接続され、ロールペーパーから繰り出されたペーパーの先端部を上下から挟んで保持するペーパー押さえ部と、
上記ペーパー押さえ部の使用時の下限位置を設定するストッパと、を備え、
上記ペーパー押さえ部は、上記上蓋と独立して揺動するように別体に設けられており、
上記ペーパー押さえ部は、上記ホルダ本体に対して前後方向に揺動自在に接続される支持板と、ロールペーパーの使用時に該支持板の上にペーパーを挟んで設置され、ロールペーパーのセット時に上記支持板上から退避する押さえ板と、を具備し、
上記押さえ板は、上記支持板に対して左右方向に揺動自在に接続されており、ロールペーパーの使用時に下方に倒れて上記支持板と重なる設置位置に移動し、ロールペーパーのセット時に上方に持ち上げられて、上記支持板の上方空間を開放する退避位置に移動するように設けられていることを特徴とするロールペーパーホルダ。
【請求項２】
上記押さえ板と上記支持板の対向する位置には、上記押さえ板を支持板上に位置させる設置位置で押さえ板を固定するペーパー固定手段が設けられていることを特徴とする請求項１記載のロールペーパーホルダ。
【請求項３】
上記ペーパー固定手段は、磁石を使用した簡易固定手段であることを特徴とする請求項２記載のロールペーパーホルダ。
【請求項４】
上記支持板と押さえ板には、支持板と押さえ板との間に挟まれたペーパーの先端部を摘んで引き出すための切欠き部が設けられていることを特徴とする請求項１〜３のいずれかに記載のロールペーパーホルダ。
【請求項５】
上記上蓋と上記ホルダ本体の対向する位置には、上記上蓋を下方に倒したカット位置で上蓋を固定する上蓋固定手段が設けられていることを特徴とする請求項１〜４のいずれかに記載のロールペーパーホルダ。
【請求項６】
上記上蓋固定手段は、磁石を使用した簡易固定手段であることを特徴とする請求項５記載のロールペーパーホルダ。
【請求項７】
上記ホルダ本体には、ロールペーパーの使用時に突出し、ロールペーパーの紙管に内嵌してロールペーパーを保持し、ロールペーパーの装着時に退避してロールペーパーの進入を許容する出没式の軸部が設けられていることを特徴とする請求項１〜６のいずれかに記載のロールペーパーホルダ。
【発明の詳細な説明】
【技術分野】
【０００１】
本発明は、トイレットペーパー等のロール状に巻かれたペーパー（以下、ロールペーパーという）を保持して、使用時に所定長さ引き出してカットするロールペーパーホルダに係り、特に、片手でロールペーパーを容易に装着し、引き出してカットできる使い勝手の良いロールペーパーホルダに関するものである。
【背景技術】
【０００２】
従来から、トイレットペーパー等のロールペーパーを保持して、使用時に所定長さ引き出してカットするロールペーパーホルダが種々開発され使用されている。そして、その多くは、一方の手でロールペーパーホルダの上蓋を押さえてロールペーパーを保持し、他方の手でロールペーパーの先端部を引き出して所定の長さでカットするように両手を使用するタイプのロールペーパーホルダであった。一方、このようなロールペーパーホルダの中には、両手がうまく使えない使用者等を想定して、片手でロールペーパーを装着し、引き出してカットできるロールペーパーホルダが下記の特許文献１に示すように提案されている。
【０００３】
このロールペーパーホルダは、ロールペーパーを保持するホルダ本体と、ホルダ本体に対して回動自在に接続され、引張バネで下方に付勢されている押さえ板（上蓋）と、ロールペーパーの先端を上板と下板の隙間に通して保持するペーパー保持部を有し、上記押さえ板の先端に揺動自在に取り付けられる供給具と、上記押さえ板の先端に取り付けられ、更にその先端に鋸刃状の刃部を有する切断刃を揺動自在に取り付けることによって構成されている刃台と、刃台と上記供給具とを連結し、上記切断刃を内方または外方に移動させるように屈曲する連結板と、を具えることによって構成されている。
【０００４】
また、近時問題になっている新型コロナウイルス等の感染防止の観点からもこのように片手で装着し使用できるロールペーパーホルダの存在は重要であり、今後その需要が高まることが想定される。
【先行技術文献】
【特許文献】
【０００５】
【特許文献１】実開昭６３−１１２８９２号公報
【発明の概要】
【発明が解決しようとする課題】
【０００６】
しかし、両手がうまく使えない使用者が上記上板と下板の狭い隙間にロールペーパーの先端を通す作業は困難であり、更なる改善が求められていた。また、上記特許文献１に開示されているロールペーパーホルダは、ロールペーパーを保持する部分と、ロールペーパーをカットする部分が一体になった複数の部材を連結した複雑な構造を有していたため、製品コストが高くなってしまうことや連結部等に発生する動作の不具合等も課題になっていた。
【０００７】
本発明は、上記従来のペーパーホルダのこのような問題点に基づいてなされたもので、その目的は、片手で使用できることを前提に、できるだけロールペーパーホルダに触ることなく、ロールペーパーホルダを装着しカットできる、操作が簡単で故障の少ない簡単な構造のロールペーパーホルダを提供することにある。
【課題を解決するための手段】
【０００８】
上記目的を達すべく本発明の請求項１によるロールペーパーホルダは、ロールペーパーを繰出し・巻取り方向に回転可能な状態で水平に保持するホルダ本体と、
上記ホルダ本体に対して前後方向に揺動自在に接続され、先端部にロールペーパーをカットする刃部を有する上蓋と、
上記ホルダ本体に対して前後方向に揺動自在に接続され、ロールペーパーから繰り出されたペーパーの先端部を上下から挟んで保持するペーパー押さえ部と、
上記ペーパー押さえ部の使用時の下限位置を設定するストッパと、を備え、
上記ペーパー押さえ部は、上記上蓋と独立して揺動するように別体に設けられており、
上記ペーパー押さえ部は、上記ホルダ本体に対して前後方向に揺動自在に接続される支持板と、ロールペーパーの使用時に該支持板の上にペーパーを挟んで設置され、ロールペーパーのセット時に上記支持板上から退避する押さえ板と、を具備し、
上記押さえ板は、上記支持板に対して左右方向に揺動自在に接続されており、ロールペーパーの使用時に下方に倒れて上記支持板と重なる設置位置に移動し、ロールペーパーのセット時に上方に持ち上げられて、上記支持板の上方空間を開放する退避位置に移動するように設けられていることを特徴とするものである。
また、請求項２によるロールペーパーホルダは、請求項１記載のロールペーパーホルダにおいて、上記押さえ板と上記支持板の対向する位置には、上記押さえ板を支持板上に位置させる設置位置で押さえ板を固定するペーパー固定手段が設けられていることを特徴とするものである。
また、請求項３によるロールペーパーホルダは、請求項２記載のロールペーパーホルダにおいて、上記ペーパー固定手段は、磁石を使用した簡易固定手段であることを特徴とするものである。
また、請求項４によるロールペーパーホルダは、請求項１〜３のいずれかに記載のロールペーパーホルダにおいて、上記支持板と押さえ板には、支持板と押さえ板との間に挟まれたペーパーの先端部を摘んで引き出すための切欠き部が設けられていることを特徴とするものである。
また、請求項５によるロールペーパーホルダは、請求項１〜４のいずれかに記載のロールペーパーホルダにおいて、上記上蓋と上記ホルダ本体の対向する位置には、上記上蓋を下方に倒したカット位置で上蓋を固定する上蓋固定手段が設けられていることを特徴とするものである。
また、請求項６によるロールペーパーホルダは、請求項５記載のロールペーパーホルダにおいて、上記上蓋固定手段は、磁石を使用した簡易固定手段であることを特徴とするものである。
また、請求項７によるロールペーパーホルダは、請求項１〜６のいずれかに記載のロールペーパーホルダにおいて、上記ホルダ本体には、ロールペーパーの使用時に突出し、ロールペーパーの紙管に内嵌してロールペーパーを保持し、ロールペーパーの装着時に退避してロールペーパーの進入を許容する出没式の軸部が設けられていることを特徴とするものである。
【発明の効果】
【０００９】
そして、上記手段によって以下のような効果が得られる。即ち、本発明によるロールペーパーホルダによると、ロールペーパーの先端部を押さえるペーパー押さえ部と、ロールペーパーをカットする刃部を有する上蓋と、が独立して揺動するように別体に設けられているから、ペーパー押さえ部と上蓋とを切り離してシンプルな構造にすることができ、両者の動きを連携させる複雑な連結構造も不要となる。
また、支持板の上に押さえ板を設置する挟持式のペーパー押さえ部の採用により、片手で容易にロールペーパーの先端位置をペーパー押さえ部の位置に合わせることができる。また、ロールペーパーのセット時には、押さえ板を支持板上から退避させることができるから、狭いスリット等にロールペーパーの先端部を通す作業は不要であり、ロールペーパーのセット時に押さえ板が邪魔にならないからロールペーパーのセット作業を簡単に行うことができる。
また、押さえ板を支持板の揺動方向と直交する左右方向に揺動するように接続し、ロールペーパーの使用時に下方に倒して支持板と重なる設置位置に移動させ、ロールペーパーのセット時に上方に持ち上げて支持板の上方空間を開放させる退避位置に移動するように設けた場合には、押さえ板の開閉動作のみでロールペーパーのセット状態と、ロールペーパー先端部の保持状態とを簡単に切り替えることが可能になる。
また、押さえ板と支持板の対向する位置に、押さえ板を支持板上に位置させる設置位置で押さえ板を固定するペーパー固定手段を設けた場合には、押さえ板を支持板とによるロールペーパー先端部の挟持状態が確実となり、押さえ板と支持板によって保持したロールペーパー先端部を上方に位置する刃部に向けて確実に移動させてロールペーパーをカットすることが可能になる。
そして、この時、ペーパー固定手段を、磁石を使用した簡易固定手段によって構成した場合には、それぞれの固定手段の固定位置と固定解除位置との切り替えを、押さえ板の開閉動作のみで簡単に切り替えることが可能になる。
また、支持板と押さえ板に対して、ロールペーパーの先端部を摘んで引き出すための切欠き部を設けた場合には、支持板と押さえ板とによるロールペーパー先端部の確実な保持状態を維持した状態で、ロールペーパー先端部を摘んで容易に必要な量、ロールペーパーを引き出すことが可能になる。
また、上蓋とホルダ本体の対向する位置に、上蓋を下方に倒したカット位置で上蓋を固定する上蓋固定手段を設けた場合には、ロールペーパーのカット時に上蓋が持ち上がることによって生ずる不具合が防止されて、確実なロールペーパーのカットが可能になる。
そして、この時、上蓋固定手段を、磁石を使用した簡易固定手段によって構成した場合には、それぞれの固定手段の固定位置と固定解除位置との切り替えを、上蓋の開閉動作のみで簡単に切り替えることが可能になる。
また、ホルダ本体に対して、ロールペーパーの使用時に突出し、ロールペーパーの紙管に内嵌してロールペーパーを保持し、ロールペーパーの装着時に退避してロールペーパーの進入を許容する出没式の軸部を設けた場合には、ロールペーパーの交換作業が容易になり、片手操作でも容易にロールペーパーを交換することが可能になる。
そして、これらの効果が相乗的に作用することによって、できるだけロールペーパーホルダを触ることなく、片手操作で容易にロールペーパーを装着しカットできる、操作が簡単で故障の少ない簡単な構造で安価なロールペーパーホルダを提供することが可能になる。
【図面の簡単な説明】
【００１０】
【図１】本発明の実施の形態を示す図で、使用時のロールペーパーホルダを示す斜視図である。
【図２】本発明の実施の形態を示す図で、上蓋を開いた状態のロールペーパーホルダを示す斜視図である。
【図３】本発明の実施の形態を示す図で、上蓋を開き、ペーパー押さえ部を上方に揺動させた状態のロールペーパーホルダを斜視図である。
【図４】本発明の実施の形態を示す図で、上蓋を開き、押さえ板を上方に持ち上げた状態のロールペーパーホルダを示す斜視図である。
【図５】本発明の実施の形態を示す図で、使用時のロールペーパーホルダを示す正面図である。
【図６】本発明の実施の形態を示す図で、上蓋を開いた状態のロールペーパーホルダを示す平面図である。
【図７】本発明の実施の形態を示す図で、ロールペーパーをカットする時のロールペーパーホルダを示す側断面図である。
【図８】本発明の実施の形態を示す図で、ロールペーパーを装着する時のロールペーパーホルダを示す側断面図である。
【発明を実施するための形態】
【００１１】
以下、図示の実施の形態を例にとって、本発明のロールペーパーホルダの構成と、その操作方法の内容と、について具体的に説明する。
尚、以下の説明では最初に本発明のロールペーパーホルダの全体構成について説明し、次に、本発明のロールペーパーホルダの要部の構成について具体的に説明する。次に、このようにして構成される本発明のロールペーパーホルダの操作方法を、ロールペーパーの装着時と、ロールペーパーのセット時と、ロールペーパーの引出し時と、ロールペーパーのカット時と、に分けて具体的に説明する。
最後に、上記実施の形態とは部分的構成を異にする他の実施の形態について言及する。
【００１２】
（１）ロールペーパーホルダの全体構成（図１〜図８参照）
本発明のロールペーパーホルダ１は、ロールペーパーＲを繰出し・巻取り方向に回転可能な状態で水平に保持するホルダ本体３と、該ホルダ本体３に対して前後方向Ｙに揺動自在に接続され、先端部にロールペーパーＲをカットする刃部５を有する上蓋７と、上記ホルダ本体３に対して前後方向Ｙに揺動自在に接続され、ロールペーパーＲから繰り出されたペーパーＰの先端部を上下Ｚから挟んで保持するペーパー押さえ部９と、該ペーパー押さえ部９の使用時の下限位置を設定するストッパ１１と、を備えることによって基本的に構成されている。
【００１３】
そして、本発明の特徴的構成として上記ペーパー押さえ部９は、上記上蓋７と独立して揺動するように別体に設けられており、上記ホルダ本体３に対して前後方向Ｙに揺動自在に接続される支持板１３と、ロールペーパーＲの使用時に該支持板１３の上にペーパーＰを挟んで設置され、ロールペーパーＲの装着時に上記支持板１３上から退避する押さえ板１５と、を具備することによって構成されている。
【００１４】
また、上記押さえ板１５は、上記支持板１３に対して左右方向Ｘに揺動自在に接続されており、ロールペーパーＲの使用時に下方に倒れて上記支持板１３と重なる設置位置Ａに移動し、ロールペーパーＲの装着時に上方に持ち上げられて、支持板１３の上方空間を開放する退避位置Ｂに移動するように設けられている。
また、上記上蓋７とホルダ本体３の対向する位置には、上蓋７を下方に倒したカット位置Ｃで上蓋７を固定する上蓋固定手段１７が設けられており、上記押さえ板１５と支持板１３の対向する位置には、押さえ板１５を支持板１３上に位置させる設置位置Ａで押さえ板１５を固定するペーパー固定手段１９が設けられている。
【００１５】
（２）ロールペーパーホルダの要部の構成（図１〜図８参照）
次に、本発明のロールペーパーホルダ１を構成している上記各構成部材について具体的に説明する。
本発明のロールペーパーホルダ１は、一例としてプラスチック製で、背面板２１と左右２枚の側面板２３Ｌ、２３Ｒを備える平面視「コ」の字状をした部材である。背面板２１には、家の壁面等に取り付けるためのビス止め用の取付け穴２５が適宜設けられており、本実施の形態では一例として上下方向Ｚに延びる２つの長穴と左右方向Ｘに延びる１つの長穴の３つの長穴によって取付け穴２５が構成されている。
【００１６】
また、左右の側面板２３Ｌ、２３Ｒには、ロールペーパーＲの使用時に突出し、ロールペーパーＲの紙管に内嵌してロールペーパーＲを保持すると共に、ロールペーパーＲの装着時に退避してロールペーパーＲのホルダ本体３内への進入を許容する出没式の２つの軸部２７Ｌ、２７Ｒが設けられている。
上記２つの軸部２７Ｌ、２７Ｒは、同じ構造のものが対向して一対配置されており、ホルダ本体３の左右の側面板２３Ｌ、２３Ｒに設けた角穴状の凹部２９に対して、退避時において完全に収容されるように設けられている。
【００１７】
上記凹部２９の下部には、前後方向Ｙに延びる揺動軸３１が設けられており、上記軸部２７の基端部が該揺動軸３１に取り付けられて揺動軸３１を中心に約９０°の範囲に亘って揺動するように構成されている。
また、揺動軸３１には上記軸部２７を常時突出する方向に付勢する付勢ばね３３が取り付けられており、本実施の形態では付勢ばね３３として一例として捩りコイルばねが使用されている。
尚、軸部２７の突出位置Ｅは、軸部２７の下面が上記凹部２９の下面に当接する略水平になる位置であり、軸部２７の退避位置Ｆは、軸部２７の上面が上記凹部２９の底面となる内側面に当接する略垂直になる位置である。
【００１８】
この他、ホルダ本体３の左右の側面板２３Ｌ、２３Ｒの上面における一例として前端寄りの位置には、磁石３５が設けられており、一方、次に述べる上蓋７の前端コーナ部の下面には、上記磁石３５に吸着する磁石３７が一例として取り付けられている。
従って、本実施の形態では上蓋固定手段１７として、上記磁石３５を使用した簡易固定手段が採用されている。尚、磁石の３５、３７の一方は、鉄などの磁性片でも良い。
更に、左右の側面板２３Ｌ、２３Ｒの内壁面における前端寄りの位置には、内方に向けて突出する一例として円柱形状のストッパ１１が設けられており、このストッパ１１に後述するペーパー押さえ部９の一部が当接することでペーパー押さえ部９の前方への揺動角度が設定される。
【００１９】
また、上蓋７は、一例として矩形平板状の部材によって構成されており、その基端部がヒンジ３９を介して上記ホルダ本体３における背面板２１と前後方向Ｙに揺動自在に接続されている。また、上蓋７には、その開閉動作を容易にするための摘まみ８が設けられている。尚、開閉動作を容易にするためのものとしては、指掛かりとなる凸部や凹部を設けることも可能である。
尚、ここでいう前後方向Ｙとは、上記ヒンジ３９を中心として揺動する上蓋７における円弧状の揺動軌跡に沿った前後の方向である。
また、上蓋７の先端部には、前述した刃部５が上蓋７の先端部を一例として下方に折り曲げる形で設けられている。尚、刃部５の形状は図示のような山型刃の他、ナイフ等に採用されている平刃であっても構わない。
更に、左右の側面板２３Ｌ、２３Ｒは、刃部５に手や指が当りにくくするために前端を刃部５よりも前方に突出させるとともに、上端を円弧状に湾曲させた形状に一例として形成されている。
【００２０】
ペーパー押さえ部９は、ロールペーパーＲから繰り出されるペーパーＰの繰出し基端部を保持する部材で、上述したように支持板１３と、押さえ板１５と、両者を左右方向Ｘに揺動自在に接続するヒンジ４１と、を備えることによって基本的に構成されている。
尚、ここでいう左右方向Ｘとは、上記ヒンジ４１を中心として揺動する押さえ板１５における円弧状の揺動軌跡に沿った左右の方向である。
支持板１３と押さえ板１５は、ほぼ同様の形状及び大きさの矩形平板状の部材で、支持板１３と押さえ板１５の前端部の一例として中央には支持板１３と押さえ板１５との間に挟んだペーパーＰの先端部を摘んで引き出すための一例として半円弧状に凹陥した切欠き部４３、４５が設けられている。
【００２１】
また、支持板１３の下面の左右方向Ｘの両端部には、上記ホルダ本体３の背面板２１側に向けて延びる一例として角棒状の揺動杵４７が取り付けられており、該揺動杵４７の後端部が揺動軸４９を介して前後方向Ｙに揺動可能な状態でホルダ本体３の左右の側面板２１Ｌ、２１Ｒに取り付けられている。
尚、ここでいう前後方向Ｙとは、上記揺動軸４９を中心に揺動する揺動杵４７を含むペーパー押さえ部９における円弧状の揺動軌跡に沿った前後の方向である。
また、揺動杵４７の下面の先端側の部分が、上述したストッパ１１に当接することで上述したようにペーパー押さえ部９の前方への揺動角度が設定されるように構成されている。
【００２２】
また、上記押さえ板１５を支持板１３に対して左右方向に揺動可能な状態で接続しているヒンジ４１は、本実施の形態では、一例として支持板１３と押さえ板１５の右辺側の端部に設けられている。
これにより押さえ板１５の自由端は、ペーパー押さえ部９の設置位置Ａでは左下方に位置し、ペーパー押さえ部９の退避位置Ｂでは右上方に位置するように構成されている。
また、押さえ板１５には、その開閉動作を容易にするための摘まみ１０が設けられている。尚、開閉動作を容易にするためのものとしては、指掛かりとなる凸部や凹部を設けることも可能である。
【００２３】
また、支持板１３の一例として中央位置には、２個の磁石５１が離間して設けられており、一方、押さえ板１５の対応する位置には上記磁石５１に吸着する磁石５３が一例として取り付けられている。従って、本実施の形態では上記上蓋固定手段１７と同様、ペーパー固定手段１９として、上記磁石５１を使用した簡易固定手段が採用されている。
尚、上記磁石５１、５３の一方は、鉄などの磁性片５３であっても良い。
【００２４】
（３）ロールペーパーホルダの操作方法（図１〜図８参照）
次に、このようにして構成される本発明のロールペーパーホルダ１の操作方法を、（Ａ）ロールペーパーの装着時と、（Ｂ）ロールペーパーのセット時と、（Ｃ）ロールペーパーの引出し時と、（Ｄ）ロールペーパーのカット時の４段階に分けて具体的に説明する。
（Ａ）ロールペーパーの装着時
本発明のロールペーパーホルダ１にロールペーパーＲを装着する場合には、ロールペーパーＲをホルダ本体３の下方から上方に持ち上げるように移動させてホルダ本体３の開放された下面からホルダ本体３のロールペーパーＲの収容空間内に進入させる。
【００２５】
この時、ロールペーパーＲは左右の側面板２３Ｌ、２３Ｒから内方に向い合わせで突出している突出位置Ｅに位置している軸部２７Ｌ、２７Ｒに当接するため、軸部２７Ｌ、２７Ｒは、それぞれの揺動軸３１、３１を中心に付勢ばね３３の付勢力に抗して上方に揺動するようになり、軸部２７Ｌ、２７Ｒがそれぞれ凹部２９、２９内に収容された退避位置Ｆに移動してロールペーパーＲの進入を許容する。
この状態でロールペーパーＲから手を離すと、付勢ばね３３の付勢力により左右の軸部２７Ｌ、２７Ｒは下方に揺動してロールペーパーＲの紙管に内嵌するようになり、下限位置で水平になって突出位置Ｅとなり、ロールペーパーＲを水平に支持するようになる。
【００２６】
（Ｂ）ロールペーパーのセット時
次に、ホルダ本体３に装着されたロールペーパーＲのペーパーＰの先端部をペーパー押さえ部９にセットする。この場合には、上蓋７の前端部を持って上方、そして後方へと揺動させて退避位置Ｄに移動させ、ホルダ本体３の上面を開放状態にする。次に、ペーパー押さえ部９の押さえ板１５の左端部を持って上方、そして右方へと揺動させて行き、退避位置Ｂに移動させ支持板１３の上方空間を開放状態にする。
この状態でロールペーパーＲのペーパーＰの先端部を引き出して支持板１３上に位置させる。次に、上方に持ち上げて退避位置Ｂに位置している押さえ板１５を左方、そして下方へと揺動させて行き、支持板１３と重なる設置位置Ａに移動させる。尚、この状態では磁石５１が磁石５３に吸着するため、支持板１３と押さえ板１５に挟まれたペーパーＰは当該吸着力によってロールペーパーＲの引き出しを可能にした範囲の力で保持される。
【００２７】
次に、後方に揺動させて退避位置Ｄに存していた上蓋７を上方、そして前方へと揺動させて行き、ホルダ本体３の開放された上面を閉塞するカット位置Ｃに移動させる。
尚、この状態では磁石３５が磁石３７に吸着するため、上蓋７は当該カット位置Ｃで当該吸着力によりその磁力の大きさで保持される。
【００２８】
（Ｃ）ロールペーパーの引出し時
ホルダ本体３にセットされたロールペーパーＲを引き出す場合には、支持板１３の切欠き部４３と、押さえ板１５の切欠き部４５と、から覗いているペーパーＰの先端部を指で摘んで前方に適宜の長さ引き出す。
尚、この時ペーパーＰは磁石５１と磁石５３の吸着力によって保持されているが、上述したようにその吸着力はロールペーパーＲの引き出しを可能にする範囲での吸着力であるため、ロールペーパーＲの引き出しは円滑に行われる。
【００２９】
（Ｄ）ロールペーパーのカット時
適宜の長さ引き出したロールペーパーＲをカットする場合には、引き出したペーパーＰの先端部を斜め上方に向けて移動させ、ペーパー押さえ部９によって保持されているペーパーＰの繰出し基端部を、上蓋７の前端部に設けられている刃部５に当接させてカットする。
尚、この時、上記ペーパーＰの持ち上げ動作によってペーパー押さえ部９全体が揺動軸４９を中心に上方へ向けて揺動するため、支持板１３と押さえ板１５によって保持されている部分が徐々に刃部５に近付いて行き、その繰出し下流位置の上記ペーパーＰの繰出し基端部が上述したように刃部５に当接する位置に至ることができる。
【００３０】
そして、このようにして構成される本発明のロールペーパーホルダ１によれば、できるだけロールペーパーホルダ１を触ることなく、片手でロールペーパーＲを装着することができ、また、ロールペーパーホルダ１を触ることなく、ペーパーの引き出しからカットまでを片手で行うことができるから、近時問題になっている新型コロナウイルス等の感染防止の観点からもこのように片手で装着し使用できるロールペーパーホルダ１を提供することが可能となる。
また、刃部５とペーパー押さえ部９が独立した構造を採用したことによって構造が簡単になり、安価で操作が簡単で故障の少ないロールペーパーホルダ１を提供することが可能になる。
【００３１】
［他の実施の形態］
本発明のロールペーパーホルダ１は、上述した実施の形態のものに限定されず、その発明の要旨内での変更が可能である。
例えば、上蓋固定手段１７とペーパー固定手段１９は、磁石を使用した簡易固定手段に限らず、嵌め込み式、係合式あるいはワンプッシュでロックとロック解除を切り換えることができる方式等、他の種々の固定手段を採用することが可能である。
【００３２】
また、ホルダ本体３に対して設ける軸部２７は、上述した実施の形態のような折れ曲がり式の他、軸方向に伸縮する方式のもの、ホルダ本体３と独立した軸部をロールペーパーＲの紙管に通してからホルダ本体３に取り付ける取付け式のもの等、種々の方式の軸部が採用可能である。
また、押さえ部１５は、ヒンジ４１を介して支持板１３に取り付ける方式の他、支持板１３と切り離した別体の押さえ板１５を支持板１３に設けた窪み等に嵌め込む方式であっても構わない。この他、上蓋７の形状は、上述した平板状の形状に限らず、ロール径の大きなロールペーパーＲに対応できるように上方に盛り上がったドーム型の形状を採用することも可能である。
【産業上の利用可能性】
【００３３】
本発明のロールペーパーホルダは、家庭、会社、学校、ホテル、ホール、駅等、種々の建物に設けられているトイレで使用されるトイレットペーパーホルダ等として利用でき、特にできるだけロールペーパーホルダに触らないで片手で簡単にロールペーパーをセットし、必要な長さ引き出してカットしたい場合に利用可能性を有する。
【符号の説明】
【００３４】
１  ロールペーパーホルダ
３  ホルダ本体
５  刃部
７  上蓋
８  摘まみ
９  ペーパー押さえ部
１０  摘まみ
１１  ストッパ
１３  支持板
１５  押さえ板
１７  上蓋固定手段
１９  ペーパー固定手段
２１  背面板
２３  側面版
２５  取付け穴
２７  軸部
２９  凹部
３１  揺動軸
３３  付勢ばね
３５  磁石
３７  磁石
３９  ヒンジ
４１  ヒンジ
４３  切欠き部
４５  切欠き部
４７  揺動杆
４９  揺動軸
５１  磁石
５３  磁石
Ｒ  ロールペーパー
Ｐ  ペーパー
Ｘ  左右方向
Ｙ  前後方向
Ｚ  上下（方向）
Ａ  設置位置
Ｂ  退避位置
Ｃ  カット位置
Ｄ  退避位置
Ｅ  突出位置
Ｆ  退避位置
【要約】
【課題】できるだけロールペーパーホルダに触らないで片手で簡単にロールペーパーをセットしてカットできるロールペーパーホルダを提供すること。
【解決手段】本発明のロールペーパーホルダ１は、ロールペーパーＲを水平に保持するホルダ本体３と、ホルダ本体３に対して前後方向Ｙに揺動自在に接続され、先端部に刃部５を有する上蓋７と、ホルダ本体３に対して前後方向Ｙに揺動自在に接続され、ロールペーパーＲから繰り出されたペーパーＰの先端部を上下から挟んで保持するペーパー押さえ部９と、ペーパー押さえ部９の使用時の下限位置を設定するストッパ１１と、を備え、上記ペーパー押さえ部９は、上蓋７と独立して揺動するように別体に設けられており、ホルダ本体３に対して前後方向Ｙに揺動自在に接続される支持板１３と、ロールペーパーＲの使用時に支持板１３上にペーパーＰを挟んで設置され、ロールペーパーＲの装着時に支持板１３上から退避する押さえ板１５と、を具備することによって構成されている。
【選択図】  図４【図１】
0006967684.tif 000002
【図２】
0006967684.tif 000003
【図３】
0006967684.tif 000004
【図４】
0006967684.tif 000005
【図５】
0006967684.tif 000006
【図６】
0006967684.tif 000007
【図７】
0006967684.tif 000008
【図８】
0006967684.tif 000009